Podtech/llm-jp-corpus-v4-ja_patent huggingface dataset:
(57)【要約】【課題】親和性に優れた水にするための処理方法を提供することを目的とする。【解決手段】各種処理水を電気石により接触・ろ過処理して清澄化する、水の処理方法。【選択図】なし【特許請求の範囲】
【請求項１】
各種原水を電気石により接触・ろ過処理して清澄化することを特徴とする、水の処理方法。
【請求項２】
電気石がトルマリンおよび／またはドラバイトである請求項１記載の水処理方法。
【発明の詳細な説明】
【発明の詳細な説明】
【技術分野】
【０００１】  本発明は、河川、汚濁水等の各種原水を清澄化する水の処理方法に関する。
【背景技術】
【０００２】  従来、水道水を調整するために河川等から取水した水を種々の方法で処理していた。例えば原水汚濁によっては、活性炭を加えた後、凝集沈殿、ろ過後の、処理水の還元電位を＋４００ｍＶ以下にすることや残留アルミ濃度を０．０５ｍｇ／ｌ以下にすることが困難であった。
【発明の開示】
【発明が解決しようとする課題】
【０００３】  そこで本発明者は、さらに水質の向上を計る方法について種々検討を加えた結果本発明を完成するに至った。
【課題を解決するための手段】
【０００４】  すなわち、本発明は、各種原水を電気石により接触・ろ過させ清澄化することを特徴とする水の処理方法である。
【発明の効果】
【０００５】  本発明方法によって処理した水は、酸化還元電位を＋３５０ｍＶ以下に低減することができる。【０００６】  また本発明方法で処理することによって、従来除去が困難な残留アルミ濃度を０．０５ｍｇ／ｌ以下に低減することができる。【０００７】  なお、本発明方法によって処理した水は、酸化還元電位が＋３５０ｍＶ以下に低減することで、水粒子が細かく、水素イオン濃度が高いため物質との親和性が良く、そのため混和性に優れる。
現状の飲料水は酸化還元電位が＋４００ｍＶ以上で、酸化還元電位が高く、酸化力が大きい。この酸化還元電位を下げる事は、集団水分子結合を切ることにより、粘性が下がり、浸透力が高まり、溶解性や製造性を高め、高粘性物の溶解性を速めると同時に、酸化しにくく安定し新鮮度を保つことが出来る。【０００８】  例えば、製造工程で使用される難溶解性、或いは粘性の高い粉末、例えばＣＭＣ（カルボキシメチルセルロースナトリウム）、キサンタンガム等は浸潤性が高く溶解する際に、ママコになり易い。本発明方法によって処理した酸化還元電位の低い水は、細粒化された水分子となり、個体内の溶出性を高め、浸透性・親和性に優れ、難溶解性・粘性の高い粉末粒子状物質或いは高分子化学製品等を短時間に溶解しやすくする。【０００９】  難溶解性のＣＭＣは弾力性や形状保持に富み、つなぎ的に多くの食品・飼料・餌・化粧品等に使用されている。本発明方法によって処理した水を使用することで、難溶解性であるＣＭＣの保水性・浸透性を高め、溶解しやすくする。【００１０】  本発明方法によって処理した水を使用することで、製麺等の食品製造に用いれば、短時間製造・味付け等が可能になる。【００１１】  本発明方法によって処理した水道水を製造工程で使用することで、工業的にも前述溶解・湿潤性が高まり、安定した製品作りが可能になる。【００１２】  本発明方法によって処理した水道水の酸化還元電位を下げる技術は、新技術で、水道水の鮮度を保持・持続することを実現したものである。【００１３】  本発明方法によって処理した水道水は、化粧品として使用でき、保水性・浸透性が高いので皮膚に塗布すると効果的である。【００１４】  本発明方法によって浄水場の取水原近傍や直接河川等や、クーリングタワー等で接触・ろ過使用すると殺菌・抗菌効果と酸化還元電位を＋３５０ｍＶ以下
にする事ができる。
【発明の実施するための最良の形態】
【００１５】  本発明における各種処理水としてはダム、河川、湖沼、汚濁水、製造用水、工業用水道、上水道、下水道、廃水処理水等が挙げられる。これらの各種処理は、電気石によって接触・ろ過処理される。
【００１６】  本発明方法に用いられる電気石は多面体極性結晶体構造を有する天然鉱石で、半永久電極持っているおり、抗菌・脱臭効果を有する。特に鉄分の含有量が多いトルマリン（ショールトルマリン）、マグネシウムの含有量が多いドラバイトが好適に使用できる。このドラバイトの代表的な成分組成を示せばＳｉＯ２３２．７％、Ｂ２Ｏ３９．３４％、Ａｌ２Ｏ３２３．３４％、Ｆｅ２Ｏ３３．８１％、ＭｇＯ２２．６４％、ＣａＯ２．３０％、Ｎａ２Ｏ０．３５％、Ｌｉ２Ｏ０．２０％、Ｐ２Ｏ５０．０５％、Ｆ０．０６％から構成されている。
またこのドラバイトを用いてチップを調整する方法としてはドラバイト粉末（約２μ）にカオリン等を混合して例えばラッシリング型等の所望の形状に成形した後例えば１２５０℃の熱により蒸し焼き（還元焼成）することによって得ることができる。
【００１７】  次に本発明方法を上水道調達の場合を例にとり説明する。現在河川から上水道とするためには、一般的に取水口より取水した水を取水庭に取り入れ、これを沈砂池に導入し、原水ポンプ所を経て着水井から、急速・緩速攪拌槽で無機凝集剤を注入してフロック形成させ、沈殿池で固・液沈降分離を行う、沈殿物は排泥調整池に移送し、上澄水は、中塩素混和池で塩素、アルカリを注入して処理し、次いで、ろ過池でろ過した後、後塩素混和池において再度塩素、アリカリを注入して処理後、浄水池に送り、上水道として供給される。活性炭やオゾンを使用される場合もある。
【００１８】  本発明方法は、例えばチップ状等に形成された電気石をネット状の袋に充填したものを、上記した取水口近傍、取水庭、沈砂池、中塩素混和池、ろ過池、後塩素混和池、浄水池など等に接触・ろ過させる処理を行う。
【００１９】  本発明方法を上水道の取水庭に、チップ状等に形成された電気石をネット状の袋に充填したものをけることによって、原水は電気石に接触・ろ過することで、活性水素、水粒子結合が細分化され、酸化還元電位の低い水となって凝集されやすい状態になる。
【００２０】  本発明方法は、他の方法として、電気石に焼成カキ殻、木炭、ゼオライト・チラン粒子状物等を単独または複数を組合せ、処理剤として併用することもできる。
【００２１】  本発明方法は、処理剤を籠、網状物、筒状カラム、格子状物等の容器に入れ、接触・ろ過させることも出来る。
【００２２】  本発明方法は、電気石を入れた水に電極を入れ、定電圧をかけることで、電解度を上げ、細菌を消滅させることが出来る。
【００２３】  次に本発明方法を実施例で説明する。
【００２４】実施例
ドラバイト粒子状物１１５重量部、カキ殻（５年天日乾燥した後低温焼成処理）８５重量部、備長炭（ウバメガシ）２５０重量部からなる処理剤４５０重量部を水道水１０００に加え６時間放置した。
次に処理した水道水の分析結果を示せば下記の通りである。
【００２５】
2005319441.tif 000002
【００２６】実験例
未処理の水道水１００ｃｃと、実施例の処理した水道水１００ｃｃを用意し、それぞれにＣＭＣを１ｇ投入静置した。未処理の水道水は１時間経過後もママコの状態で変わらず浮かんでいた。実施例のドラバイト処理した水道は、投入直後にママコ状態であったが、１時間後にママコはなく、水が湿潤した透明な塊で沈降した。
(57)【要約】【課題】音楽再生機器操作時、よそ見をしたり、ハンドルから手を放したりして、そのことが原因となっている事故を減らす。【解決手段】音楽再生機器操作部およびディスプレイ部をハンドルに取り付ける事により、ハンドルを両手でにぎったまま操作ができ、ディスプレイの確認も運転時の目線から少し下へ下げるだけではっきり確認する事ができる。【選択図】  図１
2005319946.tif 000002
【特許請求の範囲】
【請求項１】
ＣＤデッキ等、音楽再生機器のボタン操作部およびディスプレイ部をハンドル中心部に取り付ける事により、両手でハンドルを持ったまま簡単に操作ができるようになり、ディスプレイも運転時の目線から少し下に下げるだけで確実に確認することができるようにし、更に、エアバッグの作動のさまたげにもならないようにした音楽再生機器操作部およびディスプレイ付ハンドル。
【発明の詳細な説明】
【技術分野】
【０００１】
本発明は、車内での音楽再生機器操作を安全に行う為のものである。
【背景技術】
【０００２】
車内での音楽再生において、ＣＤデッキやＭＤデッキなどがあるが、それらの本体は通常センターパネルと呼ばれるダッシュボード下部の中心部に取り付けられている。その場所に取り付けてある事により、運転席からも助手席からも操作確認がしやすく便利であった。
【０００３】
しかし、その便利さゆえ、運転中による操作確認が増え、それにより事故が増え続けている。現在運転中の携帯電話の使用や音楽再生機器の操作は禁じられているが、取り締まりようがなく、一向に交通事故が減らない。
【０００４】
それらに関する交通事故についてくわしく調べてみると、運転中と音楽再生機器操作時の目線の違いによるよそ見の事故が上げられる。そして、操作ボタンをさわる時は片手を使い、ＣＤやＭＤなどの交換時には両手を使わないといけないにもかかわらず、走行中にそれらの行動をとった為、手放し運転による事故もある事がわかった。少しの時間とはいえ、片手運転や手放し運転は大変危険である。
【０００５】
この改善策として、ハンドル中心部に音楽再生機器操作部およびディスプレイを取り付けた。この改善策には２つのポイントがあり、１つはボタン操作時でも必ず両手でハンドルをにぎっていられる事、もう１つは運転時の視界のさまたげにならない程度に極力目線をかえずにボタン操作ができる事である。ハンドル裏側にあるウインカー操作部近くに音楽再生機器操作ボタンを取り付ける方法もあるが、目で直接確認しにくい為、手探りで操作しなければならず、かえって不便である。
【特許文献１】特開平８−２２５０３１号公報
【発明の開示】
【発明が解決しようとする課題】
【０００６】
解決しようとする問題点は、ボタン操作またはディスプレイ確認時のよそ見や手放し運転により交通事故が多発している点である。
【課題を解決するための手段】
【０００７】
本発明は、ハンドルを両手で握ったままボタン操作ができ、ディスプレイの確認も運転時の目線から少し下に下げるだけではっきりと確認する事ができるという事を最も主要な特徴とする。
【発明の効果】
【０００８】
本発明の音楽再生機器操作部およびディスプレイ付ハンドルは運転中の姿勢そのままでボタン操作およびディスプレイ確認ができる為、よそ見運転や手放し運転などによる交通事故を防ぐ事ができるという利点がある。
【発明を実施するための最良の形態】
【０００９】
音楽再生機器表面に取り付けてあるボタン操作部およびディスプレイを外してハンドル中心部に図１のように取り付け操作部およびディスプレイの裏側にエアバッグを収納するようにした。
【００１０】
図２のエアバッグが出る時、操作部とディスプレイは上下に分かれるしくみになっており、それによりスムーズにエアバッグが出てくる。なお、運転者に操作部およびディスプレイが当たる事はない。
【産業上の利用可能性】
【００１１】
社外品の操作部およびディスプレイを取り付けるのではなく、純正部品としてもっともシンプルなデザインにする事により、これから生産されるすべての車に適用することができる。
【図面の簡単な説明】
【００１２】
【図１】音楽再生機器操作部およびディスプレイ付ハンドルを実際に作成した図である。
【図２】エアバッグが出てくる時に操作部およびディスプレイ部が上下に分かれた時の説明図である。
【符号の説明】
【００１３】
１  音楽再生機器操作部
２  ディスプレイ
３  エアバッグ
【図２】
2005319946.tif 000003
【図１】
2005319946.tif 000004
(57)【要約】      （修正有）【課題】二輪車収納時後籠干渉防止が出来、出し入れを容易にする部品を取付た駐輪架台を提供する。【解決手段】複列に並んだ二輪車収納架台の下に後輪高さ変更の出来る部品（乗り入れ支持金具（高専用）及び乗り入れ支持金具（高低共用部品））を取付けて後輪籠の高さを変更できるようにした。【選択図】図２
2005319977.tif 000002
【特許請求の範囲】
【請求項１】
サイクルスタンド後籠対応装置
複列に並んだ（図１）レール上の二輪車収納架台の下に高さ変更装置（図６）（図８）を取付けて１台１台の架台を別別にレール上で後籠の高さ（Ａ）（Ｂ）を変更できるようにして二輪車を容易に収納することを特徴とした後籠対応二輪車収納架台である。
【発明の詳細な説明】
【発明の詳細な説明】
【発明に属する技術分野】
【０００１】この発明は二輪車の収納および保管・整理・整頓時に使用する、収納装置の後籠干渉防止に関するものである。
【背景技術】
【０００２】この発明で改良する以前の従来のものを説明する。
（イ）二輪車収納図（図１）のようにレールに沿って敷地の許す限りの台数で設置されていた。
（ロ）二輪車移動方向、架台に後籠対応部品装置がついていないため籠は隣同士で干渉していて二輪車の収納が容易にできなかった。
（ハ）従来の製品にはこのような装置（図６）（図８）が組付けてなく未開発である。
【発明が解決しようとする課題】
【０００３】（イ）二輪車収納時架台（図２）（図３）がレールに沿って二輪車移動方向に動きこの際後籠が隣と干渉する為に収納が容易にできなかった。
（ロ）架台に籠高さ変更部品（３）（４）を付けて籠の高さ（Ａ）（Ｂ）を変えて容易に収納できるようにする。
【課題を解決するための手段】
【０００４】（イ）二輪車収納架台に後籠対応部品（３）（４）を取付けて従来の欠点である架台の後籠干渉をなくするものである。（図６）（図８）
（ロ）部品乗り入れ支持金具（３）（４）は籠の高低寸法段差（Ａ）（Ｂ）を付けるように製作済である。
【発明の実施形態】
【０００５】本発明の基本構造を説明する。
（イ）二輪車収納図（図１）のようにレールに沿って敷地の許す限りの台数で設置する。
（ロ）後籠対応部品（３）（４）を二輪車収納架台（１）の下に取付ける。
（ハ）籠高さ対応部品装置詳細図（図５）（図６）の説明  高専用架台（１）とレール走行車輪取り付け架台（６）の間に籠高さ変更部品乗り入れ高支持金具専用（３）、乗り入れ支持金具（４）を取付ける。
この際補助乗り入れレール（２）は蝶番（５）により下に下がり二車輪の乗り入れを容易にする。
（ニ）籠高さ対応部品装置詳細図（図７）（図８）の説明  低専用架台（１）とレール走行車輪取り付け架台（６）の間に籠高さ変更部品乗り入れ支持金具（４）を取付ける。乗り入れ支持金具高低共用部品（４）この際補助乗り入れレール（２）は蝶番（５）により直線上に接続され二車輪の乗り入れを容易にする。
【発明の効果】
【０００６】（イ）二輪車収納時隣同士後籠の干渉が無くなり収納が容易に出来る。
【図面の簡単な説明】
【図１】後籠高さ変更装置付二輪車収納配置説明図
【図２】架台高見取り図  全体（傾斜図）
【図３】架台低見取り図  全体（傾斜図）
【図４】架台後籠対応品高低（Ｂ）高さ関係見取り説明図（傾斜図）
【図５】架台高後籠対応部品取付け説明見取り拡大図１（傾斜図）
【図６】架台高後籠対応部品取付け説明見取り拡大図２（傾斜図）
【図７】架台低後籠対応部品取付け説明見取り拡大図１（傾斜図）
【図８】架台低後籠対応部品取付け説明見取り拡大図２（傾斜図）
【図９】高低乗り入れ支持金具共用部品図（傾斜図）
【図１０】乗り入れ支持金具高専用図（傾斜図）
【符号の説明】
１乗り入れレール（架台）
２補助乗り入れレール
３乗り入れ支持金具高専用
４乗り入れ支持金具  高低共用部品
５蝶  番
６走行車輪取付架台
７架台移動ペタル
【図１】
2005319977.tif 000003
【図２】
2005319977.tif 000004
【図３】
2005319977.tif 000005
【図４】
2005319977.tif 000006
【図５】
2005319977.tif 000007
【図６】
2005319977.tif 000008
【図７】
2005319977.tif 000009
【図８】
2005319977.tif 000010
【図９】
2005319977.tif 000011
【図１０】
2005319977.tif 000012
(57)【要約】【課題】生分解性樹脂を用いた成形品で、強度及び装飾性に優れた服飾用付属品を提供する。【解決手段】ボタンなどの服飾用付属品を生分解性樹脂に竹繊維を混入した成形品とする。竹繊維の樹脂に対する割合は、1〜5重量％であり、竹繊維は、０．３５メッシュの篩を通過する短繊維を７０〜９５重量％と、０．３５メッシュの篩を通過しない長繊維を３０〜５重量％含むものを使用するのが好ましい。 【選択図】なし【特許請求の範囲】
【請求項１】
竹繊維と生分解性樹脂からなる成型品であって、竹繊維が樹脂に対して1〜5重量％の割合で添加混合されていることを特徴とする服飾用付属品。
【請求項２】
竹繊維が、０．３５メッシュの篩を通過する短繊維を７０〜９５重量％含み、０．３５メッシュの篩を通過しない長繊維を３０〜５重量％含むものである請求項１の服飾用付属品。
【発明の詳細な説明】
【技術分野】
【０００１】
本発明は、竹繊維を含む環境に優しい樹脂成型品からなる服飾用付属品に関する。
【背景技術】
【０００２】
ボタンやバックルなどの服飾用付属品として、樹脂成型品が広く知られているが、その多くは熱硬化性樹脂からなり、燃焼時に高カロリーとなるなど、廃棄物処理に問題があるだけでなく、多く使用されている尿素とカゼインのボタンやポリアセタールのホック・アジャスターなどでは、ホルマリン発生の問題もある。
【０００３】
そこで、生分解性ある樹脂を使用してボタンを製造しようとする試みもあるが（特許文献１参照）、強度や装飾性に問題があり、実用性に乏しいものであった。
【特許文献１】実用新案登録第３０６４８９４号公報
【発明の開示】
【発明が解決しようとする課題】
【０００４】
本発明は、生分解性樹脂を用いた成形品で、環境に優しいだけでなく、強度や装飾性にも優れた服飾用付属品を提供することを課題とする。
【課題を解決するための手段】
【０００５】
本発明では、生分解性樹脂に竹繊維を組み合わせることによって、上記課題を解決した。すなわち、服飾用付属品（ボタン、バックル、ホック、フック、ソトッパー、紐先、Ｄカン、丸カン、Ｚカン、アジャスター、ファスナー引き手など）を、竹繊維と生分解性樹脂からなる成型品で、竹繊維が樹脂に対して1〜5重量％の割合で添加混合されているものとすることにより、生分解性樹脂を用いながら、成形性よく、実用性ある物となし得たのである。
【０００６】
生分解性樹脂としては、１００℃以上の耐熱性を有する成形性ある市販の樹脂がいずれも使用できるが、ポリ乳酸、特にデュポン社製のバイオマックスなどの使用が好ましい。
【０００７】
竹繊維の混入により、成形品の強度は増し、また、竹繊維が散在することによる自然な意匠効果により、装飾性が増すのである。竹繊維は、繊維径が１０〜２００μｍ程度、繊維長が２０〜２０００μｍ程度のものであればよく、通常０．３５メッシュの篩を通過する短繊維を７０〜９５重量％、０．３５メッシュの篩を通過しない長繊維を３０〜５重量％含むものを使用するのが好ましく、特に上記短繊維を８５〜９３重量％、上記長繊維を１５〜７重量％含むものとするのがよい。
【発明の効果】
【０００８】
本発明の服飾用付属品は、生分解樹脂に天然素材である竹繊維を混入して製造されるため、廃棄物処理において、環境汚染を伴うことなく、自然に還りやすく、また、その使用により健康を害する恐れもない。また、本発明の服飾用付属品は、表面から透視できる状態で竹繊維が適度に散在するため、意匠性に非常に優れるものとなる。
更に、本発明の製品は、竹繊維の存在により、抗菌性に優れたものとなる。
【発明を実施するための最良の形態】
【０００９】
［実施例１］
生分解樹脂として、デュポン社製のバイオマックスとユニチカ社製のユニコンを使用し、これらに平均径７０μｍ、平均繊維長５００μｍ（０．３５メッシュの篩を通過する短繊維９０重量％、０．３５メッシュの篩を通過しない長繊維１０重量％含む）を１重量％と２重量％添加混合し、ボタンに成形した。
【００１０】
ボタンは、竹繊維が散在した意匠性あるものであり、いずれも、竹繊維を混入しないもの（比較例１）に比べて、耐熱強度及び抗菌性に優れたものとなった。試験結果は次の通りである。
【００１１】
【表１】
2005319082.tif 000002
【００１２】
［耐熱試験］
ボタンを８０℃の乾燥機に４時間放置し、次の結果を得た。
表１の試料４(本発明基づき竹繊維混入したボタン)：変形なし
表１の試料２（比較例−竹繊維を含まないボタン）：大きく変形（約１０°の反り）
【００１３】
なお、本発明の製品の耐光性、洗濯堅牢度、耐ドライクリーニング性などは、竹繊維を含まないものと大差なく、良好な結果を示した。
(57)【要約】【課題】長期間にわたる繰り返しの使用が可能であり且つ生体から外す際に電極板が弾性を有する多孔質材よりなるシート部材から剥がれることがなく、更に生体表面の形態に充分に追従させることができるようにする。【解決手段】電極板２を適宜の弾性を有する金属製支持板３によって支持せしめる。そして電極板２を、それの生体に接触する面に接着した、導電性組成物を含浸せしめた弾性を有する多孔質材よりなるシート部材５を介して生体に押し当てて使用する。【選択図】図２  
2005319071.tif 000002
【特許請求の範囲】
【請求項１】
金属製電極板を、適宜の弾性を有する金属製支持板の先端に支持せしめると共に該金属製電極板の生体に接触する面に弾性を有する多孔質材よりなるシート部材を接着し、更に該弾性を有する多孔質材よりなるシート部材に導電性組成物を含浸せしめてなる生体電極。
【発明の詳細な説明】
【技術分野】
【０００１】
本発明は生体に接触させ、生体信号を取得するために用いる生体電極に関するものである。
【背景技術】
【０００２】
従来の生体電極は、電極板の片面に導電性の粘着パッドを貼着し、該電極板を粘着パッドの粘着力を利用して生体に貼り付けるものである。
【０００３】
しかし、斯かる従来の生体電極にあっては、生体からの汚れ等によって粘着パッドの粘着力が急速に低下し、数回の使用で使えなくなったり、また粘着力が強いうちにおいては生体から外す際に電極板が粘着パッドから剥がれたりするといった問題点があった。更にまた、斯かる従来の生体電極にあっては、その粘着パッドが殆ど柔軟性を有しないことから、生体表面の形態に充分に追従させることができず、測定が不安定になるといった問題点もあった。
【発明の開示】
【発明が解決しようとする課題】
【０００４】
本発明は上記の点に鑑みなされたものであって、従来の如く粘着パッドの粘着力を利用して電極板を生体に貼り付けて使用することに代えて、電極板を導電性組成物を含浸せしめた弾性を有する多孔質材よりなるシート部材を介して生体に押し当てて使用するようになし、もって従来の生体電極の如く生体からの汚れ等によって粘着力が急速に低下し、数回の使用ですぐに使えなくなるといった問題点や、生体から外す際に電極板が粘着パッドから剥がれるといった問題点を解消することができ、更には生体表面の形態に充分に追従させることができるようになした生体電極を提供せんとするものである。
【課題を解決するための手段】
【０００５】
而して、本発明の要旨とするところは、金属製電極板を、適宜の弾性を有する金属製支持板の先端に支持せしめると共に該金属製電極板の生体に接触する面に弾性を有する多孔質材よりなるシート部材を接着し、更に該弾性を有する多孔質材よりなるシート部材に導電性組成物を含浸せしめてなる生体電極にある。
【発明の効果】
【０００６】
本発明は、従来の如く粘着パッドの粘着力を利用して電極板を生体に貼り付けて使用することに代えて、電極板を導電性組成物を含浸せしめた弾性を有する多孔質材よりなるシート部材を介して生体に押し当てて使用するようになしたものであるから、従来の生体電極の如く生体からの汚れ等によって粘着力が急速に低下し、数回の使用ですぐに使えなくなるといった問題点を解消することができる。また、生体から外す際に従来にあっては電極板が粘着パッドから剥がれるといった問題点があったが、これを解消して電極板が弾性を有する多孔質材よりなるシート部材から剥がれることがないようにすることができ、更には生体表面の形態に充分に追従させることができるようになるものである。
【発明を実施するための最良の形態】
【０００７】
本発明を実施するための最良の形態は、電極板を適宜の弾性を有する金属製支持板によって支持せしめ、該電極板を、それの生体に接触する面に接着した、導電性組成物を含浸せしめた弾性を有する多孔質材よりなるシート部材を介して生体に押し当てて使用するようになすことにある。
【実施例】
【０００８】
以下、本発明の実施例について説明する。
図１は要部を断面で示した側面図、図２は作用説明図である。
【０００９】
図中、１は生体電極である。また、該生体電極１は後記の部材からなるものである。２は生体電極１における円盤状の金属製電極板である。３は前記電極板２を先端に支持する金属製支持板であり、適宜の弾性を有するものである。また、電極板２に対する金属製支持板３の取付角度θは、電極板２を生体に押し当てるに最適な角度としている。また、該金属製支持板３は、スイッチを備えた柄４中を通る電気的接続のためのリード線（図示せず。）に接続されている。
【００１０】
５は前記電極板２の生体に接触する面に接着した弾性を有する多孔質材よりなるシート部材である。そして該弾性を有する多孔質材よりなるシート部材５に導電性組成物（図示せず。）を含浸せしめて使用するものである。尚、その他、図中６は生体を示すものである。
【００１１】
次に、上記生体電極１の作用について説明する。
柄４を握り、金属製支持板３を介して電極板２を生体６に押し当てるものであり、そしてまたこのときには、導電性組成物を含浸せしめた弾性を有する多孔質材よりなるシート部材５を介して押し当てることになるものである。
【００１２】
このように、従来の生体電極の如く粘着力を利用して電極板を貼り付けて使用するものではなく、導電性組成物を含浸せしめた弾性を有する多孔質材よりなるシート部材を介して生体に単に押し当てて使用するものであるから、従来の生体電極の如く粘着力が低下してすぐに使えなくなるといった問題がなく、長期間にわたって繰り返しの使用が可能である。また弾性を有する多孔質材よりなるシート部材５には粘着性がないから、生体から外す際に電極板２が弾性を有する多孔質材よりなるシート部材５から剥がれる虞もないものである。更にまた、弾性を有する多孔質材よりなるシート部材５は柔軟性があり、且つまた金属製支持板３は適宜の弾性を有することから、図２に示す如く生体６の表面の形態に充分に追従させることができるものである。
【図面の簡単な説明】
【００１３】
【図１】本発明の要部を断面で示した側面図である。
【図２】本発明の作用説明図である。
【符号の説明】
【００１４】
１  生体電極
２  金属製電極板
３  金属製支持板
５  弾性を有する多孔質材よりなるシート部材
【図１】
2005319071.tif 000003
【図２】
2005319071.tif 000004
(57)【要約】【課題】  腕への装着動作を行い易く、装着後に痛みを与えず、フィット性に優れた特性を発揮する弾性板を備えた血圧計の腕帯を提供する。【解決手段】  空気袋と、この空気袋の外側に配置されて自身の環状形態を保持するための弾性板とを内部に有するものにおいて、弾性板１Ｆは、その内周面１ａがほぼ円形で、外周面１ｂが多角形（ここでは略六角形）に形成されたものである。この構造により、多角形の角部が厚肉部分３５になり、辺部が薄肉部分３６になる。従って、弾性板１Ｆは結果的に肉厚を変化させた形態になる。【選択図】      図１
2005319320.tif 000002
【特許請求の範囲】
【請求項１】
空気袋と、この空気袋の外側に配置されて自身の環状形態を保持するための弾性板とを内部に有する血圧計の腕帯において、
前記弾性板は、その内周面がほぼ円形であり、外周面が多角形であることを特徴とする血圧計の腕帯。
【発明の詳細な説明】
【技術分野】
【０００１】
本発明は、血圧計の腕帯に関し、詳細には空気袋の外側に配置されて自身の環状形態を保持するための弾性板に特徴がある腕帯に関する。
【背景技術】
【０００２】
血圧計の腕帯は一般に、図２（斜視図）及び図３（断面図）に示すように、布袋９０内に空気袋９１と弾性板９２が配置されたもので、空気袋９１にはチューブ９３が接続され、布袋９０の外側には面ファスナ９４が取付けられている。弾性板９２は、空気袋９１の外側に配置され、自身の弾性力により腕帯を環状形態に保持するためのものであり、図４の（ａ）に示すように、均一な肉厚であり、一部が不連続部分９２ａとなる真円形の断面形状を持つものである。
【０００３】
しかしながら、図４の（ａ）のような弾性板９２では、次のような問題点Ａ〜Ｃがある。
Ａ）腕に装着するために弾性板９２を開く動作が行い難い。
【０００４】
つまり、断面形状が真円形であるため、弾性板９２を開いてから腕に装着しなければならない。詳細には、弾性板９２を開くにはそこそこの強さで引っ張らなければならず、開いた状態の弾性板９２をそのまま腕に装着するには或る程度の慣れも必要である。
Ｂ）弾性板９２の端部が腕に食い込む。
【０００５】
真円形の断面形状を持つ弾性板９２の場合、腕に装着すると、その弾性力により不連続部分９２ａのエッジが腕に食い込み、被測定者に痛みを与えることが多い。特に太い腕では、そのような傾向が顕著である。
Ｃ）細い腕、太い腕、傾斜の大きい腕（肩から肘にかけて太さの変化が大きい腕）、ストレートな腕（肩から肘にかけて太さの変化が小さい腕）等の腕の太さや形状に対応した変形ができず、腕にフィットし難い。
【０００６】
これは、弾性板９２の肉厚が均一で、断面形状が真円形であるからで、腕の太さや形状は千差万別であるにもかかわらず、万人に適合し易い形態の弾性板９２になっていないからである。
【０００７】
一方、腕への装着を容易にし、フィット感を高めた弾性板として図４の（ｂ）に示すようなものもある（例えば、特許文献１参照）。この特許文献１に記載された弾性板９２′は、両端部（不連続部分９２′ａ）から中央部に向けて徐々に肉厚が厚くなり、それにより徐々に剛性が大きくなるように形成されており、中央部で肉厚及び剛性が最大となっている。
【特許文献１】特開昭６１−２３８２２９号公報
【発明の開示】
【発明が解決しようとする課題】
【０００８】
しかしながら、上記特許文献１に記載された弾性板９２′でも、両端部から中央部に向けて肉厚を漸増してあるだけなので、様々な腕への適合性からすると、腕に対応する変形が柔軟ではなく、改良の余地があり、より優れた性能を有する弾性板の提供が待望されている。
【０００９】
本発明は、そのような従来の問題点や実状に着目してなされたもので、腕への装着動作を行い易く、装着後に痛みを与えず、フィット性に優れた特性を発揮する弾性板を備えた血圧計の腕帯を提供することを目的とする。
【課題を解決するための手段】
【００１０】
前記目的を達成するために、本発明の血圧計の腕帯は、空気袋と、この空気袋の外側に配置されて自身の環状形態を保持するための弾性板とを内部に有するものにおいて、弾性板は、その内周面がほぼ円形であり、外周面が多角形であることを特徴とする。
【００１１】
この弾性板では、円形の内周面が多角形の外周面に内接する（厳密には内接しない）ような断面形状であり、多角形の角部で厚肉になり、辺部で薄肉になる。従って、実質的に弾性板の肉厚を変化させた形態になり、腕のバリエーションに対応した変形ができ、腕に食い込み難く、フィット性が良い。
【発明の効果】
【００１２】
本発明の血圧計の腕帯によれば、内周面がほぼ円形であり、外周面が多角形である弾性板を備えているため、腕への装着動作が楽であるだけでなく、腕に装着したときに端部が腕に食い込み難く、被測定者に痛みを与えない。また、腕のバリエーションに対応した変形ができ、フィット性が良い。
【発明を実施するための最良の形態】
【００１３】
以下、本発明を実施の形態に基づいて説明する。但し、本発明は、血圧計の腕帯における弾性板に特徴があり、腕帯の構造は図３に示す通常のものでもよいので、以下では弾性板を中心に説明する。勿論、弾性板の作用についての説明は、その弾性板を備える腕帯についてもそのまま当て嵌まる。
【００１４】
血圧計の腕帯に備えられる実施形態に係る弾性板の斜視図を図１の（ａ）に、その断面図を図１の（ｂ）に示す。この弾性板１Ｆは、その内周面１ａがほぼ円形で、外周面１ｂが多角形（ここでは略六角形）に形成されたものである。この構造により、多角形の角部が厚肉部分３５になり、辺部が薄肉部分３６になる。従って、弾性板１Ｆは結果的に肉厚を変化させた形態になり、腕のバリエーションに対応した変形ができ、腕に食い込み難く、フィット性が良い。また、他端部２８が一端部２７よりも外側に延長されているので、腕への装着も楽である。
【図面の簡単な説明】
【００１５】
【図１】血圧計の腕帯に備えられる実施形態に係る弾性板の斜視図（ａ）、及びその弾性板の断面図（ｂ）である。
【図２】一般的な腕帯を示す斜視図である。
【図３】図２の腕帯の内部を示す断面図である。
【図４】図２の腕帯の内部に配置される従来例に係る弾性板の斜視図（ａ）、及び別の従来例に係る弾性板の斜視図（ｂ）である。
【符号の説明】
【００１６】
１Ｆ    弾性板
１ａ    内周面
１ｂ    外周面
２７    一端部
２８    他端部
３５    厚肉部分
３６    薄肉部分
【図１】
2005319320.tif 000003
【図２】
2005319320.tif 000004
【図３】
2005319320.tif 000005
【図４】
2005319320.tif 000006
(57)【要約】【課題】   従来のメモ帳は、必要なメモと不必要なメモを一見して認識区別し選り分けることができなく、必要なメモが数頁にわたりたまってしまうと再度メモ帳に必要なメモだけを書き直したり、付箋紙に必要なメモを書き直しメモ帳に貼り付けなければメモ管理が出来なかった。【解決手段】   本発明のシール式メモ帳は、書き込み用紙をシールにすることにより、メモが溜まり必要なメモと不必要なメモの入り混じった場合に必要なメモだけを剥ぎ取り、貼り付けページに貼り付けることにより一見して重要なメモだけを認識することができるメモ帳を提供できる。【選択図】 図１
2005319626.tif 000002
【特許請求の範囲】
【請求項１】
メモ帳の書き込み用紙をシールとし、書き込んだ部分を必要なメモごとに剥ぎ取りメモ帳内に作られた貼り付けページに貼り付けることのできるシール式メモ帳。
【請求項２】
請求項１に記載されたシール式メモ帳において、書き込み用紙には一定の間隔でＶ字切り込みと筋が入っていて、手によって筋に沿って容易に必要な部分だけ剥がすことができるシール式メモ帳。
【発明の詳細な説明】
【技術分野】
【０００１】
本発明は、一見して必要なメモ内容だけを認識することを可能としたメモ帳に関するものである
【背景技術】
【０００２】
従来のメモ帳は、メモ帳の書き込み用紙にメモを書いていくとメモが蓄積し数頁にわたりメモ数が増えていき、その中には必要のなくなったメモや重要なメモが入り混じり存在するメモ帳であった。また、最剥離再接着材を塗布したメモ用紙を重ね合わせたこれらを台紙にはるようなメモ帳であった。
【特許文献１】実用新案公開平６−１７９６０
【発明の開示】
【発明が解決しようとする課題】
【０００３】
以上に述べた従来のメモ帳では、必要なメモと不必要なメモを一見して認識区別し選り分けることが出来なく、必要なメモが数頁にわたりたまってしまうと再度メモ帳に必要なメモだけを書き移したり、また、付箋紙に必要なメモを書き移したりしメモ帳に貼り付けなければメモ管理ができないものであった。
【０００４】
本発明は、このような従来のメモ帳が有していた必要なメモと不必要なメモの入り混じ
る不都合とメモの2度書きなどの煩雑さの問題点を解決するものであり、必要なメモだけを選り分けメモの管理を容易にすることを目的とするものである。
【課題を解決するための手段】
【０００５】
そして、本発明は上記目的を達成するためにメモ帳の書き込み用紙をシール（再剥離再接着材を塗布した紙）とし、書き込んだ部分を必要なメモごとに剥ぎ取りメモ帳内の貼り付けページに貼り付けることを可能としたものである。
【０００６】
また、メモ帳の書き込み用紙は、一定の間隔でＶ字切り込みと筋が入っていて、手によって筋に沿って容易に必要な部分だけを剥がすことを可能としたものである。
【発明の効果】
【０００７】
上述したように本発明のシール式メモ帳は、書き込み用紙をシール（再剥離再接着材を塗布した紙）にすることにより、メモが溜まった場合に必要なメモだけを剥ぎ取り、貼り付けページに貼り付けることにより一見して重要なメモだけを認識することができるメモ帳を提供できる。
【０００８】
また、シール部分は一定の間隔で筋などが付けられていることによって、手によって筋に沿ってシールを容易に剥がすことができ必要なメモだけを選り分けしやすくなっている。
【発明を実施するための最良の形態】
【０００９】
以下、本発明の実施の形態を図１〜図２に基づいて説明する。
【００１０】
図においては、１はシール式メモ帳本体で、貼り付けページ（２）数ページと書き込みページ（３）数ページ、表紙カバー（４）から成る。
【００１１】
貼り付けページ（２）は、書き込み用紙シール面の粘着剤が残りづらい合成樹脂、プラスチック、金属、ガラス、セラミック、ゴム等の材料からなり、シール（再剥離再接着材を塗布した紙）からできている書き込み用紙（３１）を貼り付けたり剥がし易く作られている。また、貼り付けページ（２）を色違いにしたり、インデックスを付けることで項目分け貼り付けページ（２）を作ることができる。
【００１２】
書き込みページ（３）〔図３〕は、シール台紙（３２）とその表裏の両面もしくは片面にシールからできている書き込み用紙（３１）が貼られた構造になっていて、書き込み用紙（３１）の表面は、文字が書きやすい紙質などからできている。また、書き込み用紙（３１）には、適当な間隔でＶ字の切り込み（３３）と筋（３４）が入っていて、この筋（３４）によって書き込み用紙（３１）の必要部分だけを剥ぎ取ることができる。
【００１３】
書き込み用紙（３１）は、貼り付けページ（２）や他のメモ帳、ノートに貼っても固定されるような充分な粘着力を持っているので長期に渡りメモの保存をすることが出来る。
【００１４】
また、このメモ帳をバインダー式にすることにより、貼り付けページ（２）や書き込みページ（３）を増やしたり、減らしたりすることができる。
【００１５】
以下に、このシール式メモ帳の使用方を説明する。メモ帳の書き込み用紙（３１）にメモを書いていくとメモが蓄積していき数ページにわたりメモの数が増えていく、その中にはすでに必要のないメモや数日前のメモでも重要なメモが存在することとなる。そこで、
書き込み用紙（３１）に書かれた必要なメモだけを剥ぎ取り、項目別、優先順などに選り分けし貼り付けページ（２）に貼り付けていくことにより、必要なメモだけを一見してみることができる。また、重要な内容のメモなどは別のノートや保管資料に貼り付けることにより、書き写す必要なく整理することができる。
【図面の簡単な説明】
【００１６】
【図１】使用前のシール式メモ帳
【図２】使用中のシール式メモ帳
【図３】書き込みページ構造
【符号の説明】
【００１７】
１ シール式メモ帳本体     
２ 貼り付けページ
３ 書き込みページ
３１ 書き込み用紙
３２ シール台紙
３３ Ｖ字切り込み
３４ 筋
４ 表紙カバー 
【図１】
2005319626.tif 000003
【図２】
2005319626.tif 000004
【図３】
2005319626.tif 000005
(57)【要約】【課題】    従来の技術では、船底が受ける抵抗をほとんど削除することができなかった。【解決手段】    船底外部に衝立状の板（フイン）を船体に合わせて数枚から数十枚設置し、その間に空気を注入することによって、船底と海水等の間に空気の泡の層を形成し、船舶の船底が受ける抵抗を減少させ、以って、船舶の高速化と省エネルギーを実現するものである。【選択図】    なし【特許請求の範囲】
【請求項１】
船舶の船底が受ける海水等の抵抗を減少するため、船底外部に板（フイン）を設置し空気を船首部船底より噴出し船底全体を海水等から分断し、もって船舶の船底が受ける海水等の抵抗を減少する船底抵抗減少装置。
【発明の詳細な説明】
【技術分野】
【０００１】
本発明は、船舶の船底が受ける海水等の抵抗に係り、空気により船底と海水等の間に膜を作り、海水等の抵抗を減少させる船体に関するものである。
【背景技術】
【０００２】
船舶が航行する際に船底が受ける抵抗に対しては、防汚塗料を塗り貝殻等が付着するのを減少させていた。
【特許文献１】特開平１−２９３２９３号公報
【特許文献２】特開平２−７７３９２号公報
【発明の開示】
【発明が解決しようとする課題】
【０００３】
解決しようとする問題点は、従来の技術では船底が受ける海水の抵抗をほとんど減少できなかった点である。
【課題を解決するための手段】
【０００４】
本発明は、船舶が航行する際に船底が受ける抵抗を、空気を船底と海水等の間に注入することにより、その抵抗をほとんどなくすることをもっとも主要な特徴とする。
【発明の効果】
【０００５】
以上説明したように空気をまさにコロのように使用して船底にかかる抵抗を減少することにより省エネルギーおよび高速化が図れることはもとより防汚塗料の使用が減少する等コスト軽減にも適用できる。
【発明を実施するための最良の形態】
【０００６】
船底外部に船首から船尾にかけて、船底から垂直に鉄等の金属もしくはプラスチック等で衝立状の板(フイン)を、船体の大きさにより、高さ十数cmから数十ｃｍの物を船体中心線より船腹方向に数ｃｍから数ｍの間隔で設置し、衝立状の板と板の間に船首船底に開けた開口部からパイプで送られた空気を送出する。空気は、甲板上の空気取り入れ口から吸気パイプで取り入れ機動通風機を介して送気パイプで船首船底外部に送出する。
【実施例】
【０００７】
図１は、本発明装置の縦断側面図であり、取り入れ口から空気を取り入れ機動通風機で船首船底部から送出するものである。
図２は、本発明装置の縦断正面図であり、衝立状の板と板の間から空気が開口部から送出されるものである。
【図面の簡単な説明】
【０００８】
【図１】図１は、本発明装置の縦断側面図である。
【図２】図２は、本発明装置の縦断正面図である。
【符号の説明】
【０００９】
１  船体
２  機動通風機(速力と比例して空気排出量を調整する自動制御装置内臓)
３  空気取り入れ口
４  衝立状の板
５  送気パイプ
６  吸気パイプ
７  空気送出開口部
【図１】
2005319829.tif 000002
【図２】
2005319829.tif 000003
(57)【要約】【課題】  浴槽内に立って入浴し、運動、トレーニングをすることを主眼とする家庭用の浴槽を提供することにある。【解決手段】  本発明の浴槽は、家庭用の浴槽であって、深さが入浴者の身長の約７５％相当であることを特徴とするものである。【選択図】  図１
2005319234.tif 000002
【特許請求の範囲】
【請求項１】
家庭用の浴槽であって、深さが入浴者の身長の約７５％相当であることを特徴とする浴槽。
【発明の詳細な説明】
【技術分野】  本発明は浴槽に関係するものである。
【背景技術】  従来の浴槽は、癒し・疲労回復を目的とした入浴方法に適した浴槽で、従って浴槽の深さは、深いもので約６０ｃｍで、座っての入浴か、あるいは、寝そべっての入浴を主眼とするものであった。
【発明の開示】
【発明が解決しようとする課題】  本発明の目的は、浴槽内に立って入浴し、運動、トレーニングをすることを主眼とする家庭用の浴槽を提供することにある。
【課題を解決するための手段】  本発明が提供する浴槽は、家庭用の浴槽であって、深さが入浴者の身長の約７５％相当であることを特徴とするものである。
【発明の効果】  これくらいの深さがあると、湯による浮力の助けを借り、プールに於けるウォーキング効果に相当する膝関節を傷めることなしに運動出来、更に腰痛の改善や、温湯の中での運動で脂肪の燃焼による痩身効果まで期待できる。腰痛改善や膝痛改善のためにプールまで出かけていってウォーキングしている人たちにとっては、家庭の浴槽で手軽にプールにおけると同様の効果が期待出来る。
【発明を実施するための最良の形態】  以下、本発明を実施するための最良の形態を、実施例によって、図１〜図３を参照しながら説明する。
【実施例】  図１は実施例の浴槽の断面図、図２は図１の側面図である。図において１は浴槽、２は、段部である。深さｄは１２０ｃｍで、身長１６０ｃｍの約７５％相当の深さである。開口部の幅ｗは１５０ｃｍ、底部の幅ａは９０ｃｍ、奥行ｂは８０ｃｍである。段部の高さｈは６０ｃｍで、これは浴槽に出入りするために必要な段であり、必要に応じて図３に示す浴槽３のように２段にすることもできる。
【図面の簡単な説明】
【図１】実施例の浴槽の一部欠切斜視図である。
【図２】実施例の浴槽の断面図である。
【図３】他の実施例の浴槽の断面図である。
【符号の説明】
１，３  浴槽
２      段部
【図１】
2005319234.tif 000003
【図２】
2005319234.tif 000004
【図３】
2005319234.tif 000005
(57)【要約】【課題】本発明は、テニスラケットのガットの張替え目安となるテンションメーター付ラケットである。通常は３ヶ月を目安に、目で見て、手で触れて張替え時期を決めていたが、練習回数など個々まちまちのため一目で張替え時期がわかるテンションメーター付テニスラケットを提共する。【手段】テニスラケット（１）のガット（２）張り具合がわかるようにテンションメーター（３）を設ける。【選択図】図１
2005319238.tif 000002
【特許請求の範囲】
【請求項１】
テニスラケット（１）のガット（２）がテンションメーター（３）によりガット（２）の縦と横の張り具合がわかるテニスラケット（１）。
【請求項２】
テニスラケット（１）の複数ある縦横のガット（２）をテンションメーター（３）によりコンディションを確認出来、請求項１記載のガット（２）の交換時期がわかるラケット。
【請求項３】
テニスラケット（１）の複数ある縦横のガット（２）をテンションメーター（３）によりコンディションを確認出来、請求項１記載のガット（２）交換時期がわかるラケット。
【発明の詳細な説明】
【発明の詳細な説明】
【技術分野】
【０００１】  この発明は、テニスラケットのガットテンションを、テンションメーターで表示することによりガット張替え時期を明確にするラケットである。
【背景技術】
【０００２】  従来テニスラケットのガット張替えは、見た目や手触りではわからず、ガットの特徴種類により、勘、経験に頼って３ヶ月を基準に張替え時期を決めていた。
【発明が解決しようとする課題】
【０００３】  テニスラケットのガットの張替えは、練習回数など、個々に差があるので張替え時期を見極めるのがむずかしかった。
本発明は、以上の問題点を解決し、強度をテンションメーターで表示することにより、張替え時期を明確にするものである。
【課題を解決する手段】
【０００４】  テニスラケット（１）に張られたガット（２）をテンションメーター（３）によりコンディションを確認する。
本発明は、以上の構成からなる張替え時期のわかるテンションメーター付テニスラケットである。
【発明を実施するための最良の形態】
【０００５】以下本発明の形態を説明する。
（イ）テニスラケット（１）にガット（２）を張った状態でテンションメーター（３）が設置できるスペースを設ける。
（ロ）テニスラケット（１）のガット（２）にテンションメーター（３）で実測したい箇所を、縦または横、あるいは全周囲に設ける。
本発明は、以上の構成よりなる。
本発明を使用する場合は、いつでもメーター表示されているのでいつでも張替え時期を確認することが出来る。
【本発明の効果】
本発明を使用することにより、ラケットコンディションがよい状態で使用することが出来、張替え時期を明確に知ることができる。
【図面の簡単な説明】
【図１】  本発明の正面図
【図２】  本発明の横面図
【符号の説明】
（１）テニスラケット、（２）ガット、（３）テンションメーター
【図１】
2005319238.tif 000003
【図２】
2005319238.tif 000004
(57)【要約】【課題】テニスラケットに張るガットを勘、経験により張り具合を決めていたが、自分に合わないと何度もガットを張替えていたが、テンション調整器を含むテニスラケットを使用することにより、何度もガット張替えを行うことは必要なくなった。ここにテンション調整器搭載のラケットを提供する。【手段】テニスラケット（１）のガット（２）張り具合を調整する為、テンション調整器（３）を設ける。【選択図】図１
2005319239.tif 000002
【特許請求の範囲】
【請求項１】
テニスラケット（１）のガット（２）をテンション調整器（３）によりガットの張りを自由に調整することが出来る。
【請求項２】
テニスラケット（１）の複数ある縦横のガット（２）をテンション調整器によりガット（２）の張りを調整し、請求項１記載のガット（２）の調整が出来るラケット。
【発明の詳細な説明】
【発明の詳細な説明】
【技術分野】
【０００１】    この発明は、テニスラケット（１）のガット（２）の張替えをしないで、いつでもガット（２）のテンションを自由にテンション調整器で調整し、何度も張り替えず自分の好きなテンションでテニスを行うことが出来るラケット。
【背景技術】
【０００２】  テニスラケット（１）購入時にガット（２）のテンションポンドを決めガット（２）を張るが、経験により決めていることが多く、ラケット、及び自分に合ったテンションにたどり着くまで何度もガット（２）を張り替えていた。
また、見た目や経験では、かなり上手にならないかぎり１度で自分にあった張り具合に到達する事は困難であった。
【発明が解決しょうとする課題】
【０００３】  テニスラケット（１）にテンション調整器を取り付けることによって自由にガット（２）のテンションを調整することにより何度もガットを張り替えず適正なテンションに調整出来る。
【課題を解決する手段】
【０００４】  テニスラケット（１）のガット（２）をテンション調整器（３）によりテンションを調整することが出来る。
本発明は、以上の構成からなりガット（２）を自由に好きなテンションに調整することが出来るテンション調整器付テニスラケットである。
【発明を実施するための最良の形態】
【０００５】（イ）テンション調整器をテニスラケット（１）が通常使用するのに支障がない場所に設ける。
（ロ）自分の好みにテニスラケット（１）のガット（２）をテンション調整器（３）により縦または横を調整する。
発明は、以上の構成よりなる。
本発明を使用する場合は、いつでも好きにガット（２）のテンションを変更出来る。
【発明の効果】
【０００６】  本発明を使用することにより、ラケットが自分に合った状態で使用することが出来る。
【図面の簡単な説明】
【図１】  本発明の正面図
【図２】  本発明の正面図拡大
【図３】  本発明の横面図拡大
【符号の説明】
（１）テニスラケット、（２）ガット、（３）テンション調整器
【図１】
2005319239.tif 000003
【図２】
2005319239.tif 000004
【図３】
2005319239.tif 000005
(57)【要約】      （修正有）【課題】バッグに応援ボードと座席確保シート機能を提供する。【解決手段】バッグの両表面を接続する両側面において、上下方向に１０１ファスナーを設けこの１０１ファスナーを下方へ下ろすことで開き、表面を１０２応援ボードとして使用するため、予め文字・数字を貼り付ける枠取りをプリントしておき、粘着テープ等を用いて１０４応援対象人物又はグループ名と１０３背番号等を完成させる。裏面は１０５座席確保シートとして使用するため、確保する場所の目安として１０６お尻マークを複数人分プリントする。【選択図】図２
2005319255.tif 000002
【特許請求の範囲】
【請求項１】
バッグの両表面を接続する両側面において、上下方向にファスナーを設け、このファスナーを下方へ下ろすことで開き、よって展開した前記両表面を、応援ボードと座席確保シートとして使用することを特徴としたバッグ。
【発明の詳細な説明】
【技術分野】
【０００１】  本発明は、スポーツ観戦、コンサート鑑賞時に選手名・グループ名称・背番号等を標記した応援グッズと、球場やホールの座席確保シートとして使用されるバッグに関する。なお、この明細書中でバッグとは、手提げカバンや手提げ袋などと呼ばれるものを含むものとする。
【背景技術】
【０００２】  バッグは、一般的に物を入れて持ち運んだりするために使用される。
【発明の開示】
【発明が解決しようとする課題】
【０００３】  本発明の目的は、バッグに応援ボードと座席確保シート機能を提供することにある。
【課題を解決しようとする手段】
【０００４】  前述した目的を達成するため、本発明はバッグの両表面を接続する両側面において、上下方向にファスナーを設け、このファスナーを下方へ下ろすことで開き、よって展開した前記両表面を、応援ボードと座席確保シートとして使用することを特徴としたバッグを提供する。
【発明の効果】
【０００５】  本発明のバッグには次のような効果がある。
球場やホールまでの行き帰りはバッグとして他の応援グッズ等の持ち運びに用い、試合やコンサートが始まる迄は座席確保シートとして利用し、試合やコンサートが始まれば応援グッズとして使用する。
【発明を実施するための最良の形態】
【０００６】  以下、本発明を具体的に図を用いて説明する。
【実地例】
【０００７】  図１はバッグとして使用する状態を表している。両サイドの１０７ファスナーの取手を下方へ下ろすことにより、広げた状態となり、表面は図２の１０２応援ボード面と、裏面は図３の１０５座席確保シート面とになる。１０２応援ボード面には応援する１０４応援対象人物又はグループ名と、１０３背番号等を粘着テープで貼り付ける。この場合、予め文字、数字の枠取りをプリントしておき、その枠に沿って粘着テープを貼れば良い様にしておく。
１０５座席確保シート面は、座席確保時に使用するため、どの位のスペースを確保すれば良いかの目安のため、１０６お尻マークをプリントしておく。
【産業上の利用可能性】
【０００８】  本発明は、野球の応援、サッカーの応援、その他各種スポーツの応援、コンサート等の応援、テーマパーク等の座席確保と幅広く利用できる。
【図面の簡単な説明】
【０００９】
【図１】バッグとして利用する時の形を表す図である。
【図２】応援グッズとして利用する時の図である。
【図３】座席確保シートとして利用する時の図である。
【符号の説明】
【００１０】１０１  ファスナー
１０２  応援ボード
１０３  背番号等
１０４  応援対象人物又はグループ名
１０５  座席確保シート
１０６  お尻マーク
１０７  ファスナーの取手
【図１】
2005319255.tif 000003
【図２】
2005319255.tif 000004
【図３】
2005319255.tif 000005